(57)【要約】      （修正有）【課題】開封の痕跡をより確実に残すことのできる基板ボックスを備えた遊技機を提供する。【解決手段】パチンコ機の主制御装置２６１は基板ボックス２６３に収容されている。基板ボックス２６３は、ボックスカバー２６３ａとボックスベース２６３ｂとを備え、これらが封印手段によって封印されている。封印手段は、ボックスベースの外側に突出形成されかつ内側に連通した中空のベース側連結部４５０と、ボックスカバーから突出形成されたカバー側連結部４３０とからなる。ボックスカバーとボックスベースとを組付けるにあたり、カバー側連結部がボックベースの内側からベース側連結部の内部に挿し込まれ、当該ベース側連結部の内部に設けられたベース側連結金具４５４と、カバー側連結部に設けられたカバー側連結金具４３５とが係合する。これにより、基板ボックス２６３が封印状態となり、その封印状態をボックス外部から解除操作することができなくなる。【選択図】図９
2010194136.tif 000002
【特許請求の範囲】
【請求項１】
制御基板と、当該制御基板を収容する基板ボックスとを備えるとともに、
前記基板ボックスが、当該基板ボックスのうち前記制御基板を収容するボックス本体部の外側に当該ボックス本体部を封印する封印手段を備え、当該ボックス本体部から前記封印手段を切離すことにより開封可能となる遊技機であって、
前記ボックス本体部は、
第１構成部材と第２構成部材とからなり、
前記封印手段は、
前記第１構成部材の外側に突出形成されかつ内側に連通した中空の第１連結部と、前記第２構成部材から突出形成された第２連結部とからなり、
前記第１構成部材と前記第２構成部材とを組付けるにあたり、前記第２連結部が前記第１構成部材の内側から前記第１連結部の内部に挿し込まれ、当該第１連結部の内部に設けられた第１係合部と、前記第２連結部に設けられた第２係合部とが係合する構成となっていることを特徴とする遊技機。
【発明の詳細な説明】
【技術分野】
【０００１】
本発明は、パチンコ機等の遊技機に関するものである。
【背景技術】
【０００２】
遊技機の一種として、パチンコ遊技機やスロットマシン等が知られている。これらの遊技機は、ＣＰＵ（中央処理装置）や遊技に関わる制御プログラムが記憶されたＲＯＭ等の電子部品が実装された制御基板（制御装置）を備えており、その制御基板によって一連の遊技が制御されている。
【０００３】
この種の遊技機においては、不正な利益を得ることを目的として、制御基板を不正に取り外して当該基板のＲＯＭ（ＣＰＵやＲＯＭが１チップ化されている場合は当該チップ） を交換し遊技内容を変更したり、リード線等により外部から不正な電気信号を制御基板に入力させたりする等、制御基板に対しての不正行為が数多く報告されており、各種の不正対策が検討されている。例えば、基板ボックスに封印構造（いわゆる、カシメ構造）を持たせて、基板ボックスの開封時には破壊等による開封履歴（開封の痕跡）を残すようにする等の不正対策が採用されている（例えば特許文献１参照）。
【０００４】
一般的に、封印構造を備える基板ボックスは、制御基板を収容するボックスベースと、ボックスベースの開口部を閉塞するボックスカバーと、ボックスベースに設けられたベース側連結部と、ボックスカバーに設けられたカバー側連結部とを備えている。そして、ボックスベースとボックスカバーとを組付けると、ベース側連結部に形成された係止凹部とカバー側連結部に形成された係止孔とが位置合わせされ、係止孔を介して係止凹部に対し、返しの付いたピンや、破断ねじ、ワンウェイねじ等といったカシメ部材を差込むことで、ボックスベースとボックスカバーとが連結される構成となっている。破断ねじとは、ドライバ等の工具が係合される工具係合部（十字溝等）が形成された部位を螺着後に除去することのできる特殊ねじである。また、ワンウェイねじとは、ドライバ等の工具が締め付け方向（ねじ込み方向）にのみ係合される工具係合部をねじ頭部に形成したものであり、ねじを緩める方向にドライバ等の工具を回転させると、当該工具が空回りすることで外すことができない特殊ねじである。
【０００５】
従って、係止孔及び係止凹部に差込まれたカシメ部材は、ベース側連結部及びカバー側連結部のうち少なくとも一方側を破壊（除去）しない限り取外し不能となる。つまり、基板ボックスを開封する際には、基板ボックスに対して所定の痕跡が形成されることから、不正開封された場合には、早期に且つ容易に発見することができる。
【先行技術文献】
【特許文献】
【０００６】
【特許文献１】特開２００３−１８０９１７号公報
【発明の概要】
【発明が解決しようとする課題】
【０００７】
しかしながら、上記の構成を有する基板ボックスを２つ用意し、そのうちの一方の基板ボックスに関しては、カバー側連結部を破壊することで当該基板ボックスを開封し、他方の基板ボックスに関しては、ベース側連結部を破壊することで当該基板ボックスを開封した場合、それぞれ無傷の（開封の痕跡のない）ボックスベース及びボックスカバーを得ることができる。
【０００８】
例えば、ベース側連結部を破壊して、カバー側連結部からカシメ部材の頭部等を抜き取れば、無傷のボックスカバーを容易に得ることができる。一方、ボックスベースの取得に関しては、破断ねじやワンウェイねじなどをカシメ部材として用いた場合でも、カバー側連結部を破壊する等して、ベース側連結部に残されたねじの一部をプライヤー等の工具により挟持して回せば、取り外すことが可能となる。返しピンなどを用いた場合には、その一部をプライヤー等の工具により挟持さえできれば、容易に引き抜くことができる。このようにして、カシメ部材の取り外された無傷のボックスベース及びボックスカバーを２つの基板ボックスから得ることができる。
【０００９】
このようにして得たボックスベース及びボックスカバーに不正な制御基板を収容し、基板ボックスごと交換するといった不正行為が行われた場合には、外観上、制御基板が取り替えられたことが分からなくなり、当該不正行為の発見が非常に困難となる。
【００１０】
なお、上記課題は、パチンコ機に限らず、同様の基板ボックスを有する他の遊技機にも該当する問題である。
【００１１】
本発明は、上記例示した問題点等を解決するためになされたものであり、その目的は、開封の痕跡をより確実に残すことのできる基板ボックスを備えた遊技機を提供することにある。
【課題を解決するための手段】
【００１２】
上記の目的を達成するため、本発明に係る遊技機は、
制御基板と、当該制御基板を収容する基板ボックスとを備えるとともに、
前記基板ボックスが、当該基板ボックスのうち前記制御基板を収容するボックス本体部の外側に当該ボックス本体部を封印する封印手段を備え、当該ボックス本体部から前記封印手段を切離すことにより開封可能となる遊技機であって、
前記ボックス本体部は、
第１構成部材と第２構成部材とからなり、
前記封印手段は、
前記第１構成部材の外側に突出形成されかつ内側に連通した中空の第１連結部と、前記第２構成部材から突出形成された第２連結部とからなり、
前記第１構成部材と前記第２構成部材とを組付けるにあたり、前記第２連結部が前記第１構成部材の内側から前記第１連結部の内部に挿し込まれ、当該第１連結部の内部に設けられた第１係合部と、前記第２連結部に設けられた第２係合部とが係合する構成となっていることをその要旨としている。
【発明の効果】
【００１３】
本発明の遊技機によれば、開封の痕跡をより確実に残すことができるという優れた効果を奏する。
【図面の簡単な説明】
【００１４】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】基板ボックスの正面図である。
【図８】基板ボックスの斜視図である。
【図９】基板ボックスの正面側の分解斜視図である。
【図１０】基板ボックスの背面側の分解斜視図である。
【図１１】ボックスカバーとボックスベースの連結前の組付け状態を示す斜視図である。
【図１２】ボックスカバーとボックスベースの連結前の組付け状態を示す斜視図である。
【図１３】基板ボックス、接続プレート、台座部などを一体に組付けたユニットの斜視図である。
【図１４】基板ボックス、接続プレート、台座部などの組付け関係を示す分解斜視図である。
【図１５】（ａ）は、ボックスカバーとボックスベースの連結前の組付け状態を示す正面側からの部分断面斜視図であり、（ｂ）は、連結後の状態を示す部分断面斜視図である。
【図１６】（ａ）は、ボックスカバーとボックスベースの連結前の組付け状態を示す部分断面図であり、（ｂ）は、連結後の状態を示す部分断面図である。
【図１７】（ａ）は、ボックスカバーとボックスベースの連結前の組付け状態を示す背面側からの部分断面斜視図であり、（ｂ）は、連結後の状態を示す部分断面斜視図である。
【図１８】図７のＫ−Ｋ線断面図である。
【図１９】電気的構成を示すブロック図である。
【発明を実施するための形態】
【００１５】
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００１６】
図３等に示すように、パチンコ機１０は、当該パチンコ機１０の外郭を構成する外枠１１を備えており、この外枠１１の一側部に内枠１２が開閉可能に支持されている。
【００１７】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組付けられている。
【００１８】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００１９】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００２０】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００２１】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００２２】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００２３】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２４】
図１に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。加えて、下皿１５の左部には、ＬＥＤが内蔵された演出ボタン１２５が設けられており、演出ボタン１２５を押圧操作することで、後述する装飾図柄表示装置４２等において対応する演出が行われたり、演出内容が変更されたりする。
【００２５】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段が設けられている。
【００２６】
下皿１５の上方には上皿１９が設けられている。上皿１９は、遊技球を一旦貯留し、一列に整列させながら後述する発射手段としての遊技球発射装置（以下、単に発射装置という）６０の方へ案内する球受皿である。なお、上皿１９が遊技球で一杯になった状態では、払出される遊技球は下皿１５へと案内される。
【００２７】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２８】
さらに、上皿１９には、球抜きボタン１２３が設けられている。球抜きボタン１２３が押圧操作されることで、上皿１９の球案内路の下流側に設けられ、下皿１５に連通する連通孔（図示略）が開口し、上皿１９に貯留されていた遊技球が下皿１５へと案内される（落下する）。つまり、遊技者は、球抜きボタン１２３を操作することで、上皿１９にある遊技球をいつでも下皿１５に移すことができる。
【００２９】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００３０】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００３１】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００３２】
また、内枠１２（樹脂ベース３８）の前面下部、すなわち窓孔３９（遊技盤３０）の下方位置には、発射装置６０及び当該発射装置６０より発射された直後の遊技球を案内する発射レール６１が取付けられている。本実施形態では、発射装置６０としてソレノイド式発射装置を採用している。また、発射装置６０の上方には、上皿１９から案内される遊技球を、内蔵された駆動手段（例えばソレノイド）の駆動により、１球ずつ発射装置６０の発射位置へと案内する球送り装置６３が設けられている。
【００３３】
次に、遊技盤３０の構成について図４を参照して説明する。遊技盤３０には、一般入賞口３１、可変入賞装置３２、第１契機対応ユニット（作動口）３３、第２契機対応口３４、可変表示装置ユニット３５等がルータ加工によって形成された貫通孔に配設され、遊技盤３０前面側から木ネジ等により取付けられている。周知の通り一般入賞口３１、可変入賞装置３２、第１契機対応ユニット３３などの各種入賞口に遊技球が入球（入賞）すると、後述する各種検出スイッチにより検出され、上皿１９（又は下皿１５）へ所定数の賞球が払い出される。その他に、遊技盤３０にはアウト口３６が設けられており、一般入賞口３１等の各種入賞口に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００３４】
第１契機対応ユニット３３は、上入賞口３３ａ及び下入賞口３３ｂを備えるとともに、下入賞口３３ｂに対応して一対の開閉部材３３ｃを備えている。これにより、上入賞口３３ａが遊技球が常時入球可能な開状態となっているのに対し、下入賞口３３ｂは、開閉部材３３ｃが所定条件の成立に応じて開閉動作することにより、遊技球が入球不能な閉状態と、遊技球が入球可能な開状態とに切換わる。例えば、下入賞口３３ｂは、通常モード時には開閉部材３３ｃが開状態となり規定時間（例えば０．２秒）の経過した場合又は規定個数（例えば１個）の遊技球の入球があった場合に閉状態となる。この開閉処理は、通常モード時においては１回だけ行われる。また、上記構成に代えて、下入賞口３３ｂが、遊技球が入球困難な閉状態と、遊技球が前記閉状態より入球容易な開状態とに切換わる構成としてもよい。
【００３５】
可変表示装置ユニット３５には、第２契機対応口３４の通過をトリガとして変動表示する普通図柄表示装置４１と、第１契機対応ユニット３３（上入賞口３３ａ又は下入賞口３３ｂ）への入賞をトリガとして変動表示する特別表示装置４３と、特別表示装置４３による変動表示に合わせて変動表示する装飾図柄表示装置４２とが設けられている。
【００３６】
普通図柄表示装置４１は、普通図柄として「○」又は「×」を点灯表示可能に構成されており、遊技球が第２契機対応口３４を通過する毎に例えば普通図柄を「○」→「×」→「○」→・・・という具合に高速で切換表示（変動表示）する。そして、その変動表示が「○」図柄（当選図柄）で数秒間停止した場合には、第１契機対応ユニット３３が所定時間だけ作動状態となる。この普通図柄表示装置４１は、後述する主制御装置２６１によって直接的に表示内容が制御される。
【００３７】
また、普通図柄表示装置４１の変動表示中に、新たに遊技球が第２契機対応口３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３８】
特別表示装置４３は、普通図柄表示装置４１の右側方に設けられ、赤、緑、青の発光色を有する三色発光ダイオード（三色ＬＥＤ）により構成されている。そして、遊技球が第１契機対応ユニット３３に入賞する毎に色換え表示（変動表示）が行われ、変動表示が停止したときの点灯態様（点灯色）により、大当たりか否かが確定的に表示される。
【００３９】
より詳しくは、第１契機対応ユニット３３に対し遊技球が入賞すると、特別表示装置４３は、３色ＬＥＤを赤→緑→青→赤→・・・という具合に高速で色換え表示（変動表示）し、所定時間が経過すると、いずれかの色に決定表示する。高速の色換え表示とは、例えば４ｍｓｅｃ毎に赤、緑、青を順番に表示するという具合である。大当たり抽選に当選した場合には、この際、赤又は緑で決定表示（例えば数秒間停止）され、特別遊技状態が発生する。特に、赤は、大当たり終了後の遊技モードが高確率モードであることを示す表示であり、緑は、大当たり終了後の遊技モードが時間短縮モードであることを示す表示である。なお、この特別表示装置４３についても、主制御装置２６１によって表示内容が直接的に制御される。
【００４０】
また、特別表示装置４３の変動表示中に新たに遊技球が第１契機対応ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応ユニット３３に入賞した場合、その分の変動表示についても保留される。
【００４１】
装飾図柄表示装置４２は液晶表示装置として構成されており、後述するサブ制御装置２６２及び表示制御装置４５によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００４２】
可変入賞装置３２は、通常は遊技球が入賞できない閉状態になっており、大当たり（特別遊技状態の発生）の際に、遊技球が入賞可能な開状態とされる。具体的には、規定時間（例えば２９秒）の経過又は規定個数（例えば１０個）の入賞を１ラウンド（特賞状態）として、可変入賞装置３２の大入賞口が所定回数（所定ラウンド数）繰り返し開放される。
【００４３】
また、遊技盤３０には、内レール構成部５１と外レール構成部５２とからなり、発射装置６０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００４４】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。
【００４５】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００４６】
図３に示すように、前面枠セット１４の背面側には、窓部１０１の下方において、球通路ユニット７０が設けられている。球通路ユニット７０は、後述する払出機構部３５２から下皿１５の排出口１６へ繋がる下皿連通路７１と、払出機構部３５２から上皿１９へ繋がる上皿連通路７３と備えている。また、内枠１２に設けられた発射レール６１とレールユニット５０（外レール構成部５２）との間には所定間隔の隙間があり、球通路ユニット７０には、前記隙間より落下した遊技球を下皿１５へと案内するファール球通路７２が形成されている。これにより、仮に、発射装置６０から発射された遊技球が戻り球防止部材５３まで至らずファール球としてレール５０を逆戻りする場合には、そのファール球がファール球通路７２を介して下皿１５に排出される。
【００４７】
また、図３及び図４中の符号６７は後述する払出機構部３５２により払出された遊技球を内枠１２の前方に案内するための払出通路であり、上皿連通路７３（上皿１９）に通じる通路と、下皿連通路７１（下皿１５）に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、下皿連通路７１の入口側後端部によってシャッタ６８が押し開けられるようになっている。尚、下皿連通路７１及び上皿連通路７３の入口（球流入部）が隣接するとともに、前面枠セット１４の閉状態において当該各入口と払出通路６７とが所定距離だけ離間しており、両者間の隙間を遊技球が通過可能となっている。このため、上皿１９及び上皿連通路７３が遊技球で満杯となると、払出される遊技球が下皿連通路７１側に流れ（下皿連通路７１の入口側に溢れ）、下皿連通路７１を通って下皿１５に払出されることとなる。
【００４８】
加えて、球通路ユニット７０には、下皿連通路７１内に位置する遊技球を検知する満杯検知スイッチ（図示略）が設けられている。当該満杯検知スイッチの存在により、下皿１５が遊技球で満杯になっていること（下皿１５が遊技球で満杯となり、下皿連通路７１において遊技球が滞留していること）を把握することができる。本実施形態では、満杯検知スイッチによって所定時間継続して遊技球が検知されることに基づき、発射装置６０の打出しを禁止するといった制御が行われる。尚、下皿連通路７１における遊技球の滞留が解消され、満杯検知スイッチにより遊技球が検知されなくなると（所定時間継続して検知されなくなると）発射装置６０の打出しが許容される。
【００４９】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００５０】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００５１】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００５２】
フレームカバー２１３の下方には裏枠セット２１５が、一般入賞口３１、可変入賞装置３２及び第１契機対応ユニット３３等を背後から覆うようにして遊技盤３０に取付けられている。裏枠セット２１５は、各種入賞口に入賞した遊技球を回収するための球回収機構を備えている（図示略）。この球回収機構により回収された遊技球は、後述する排出通路部２１７に案内され、排出通路部２１７の排出シュートからパチンコ機１０外部に排出される。
【００５３】
主制御装置２６１は透明樹脂材料等よりなる基板ボックス２６３に収容されている。基板ボックス２６３は、ボックスベースとボックスカバーとを備え、これらが封印手段によって連結されている。封印手段によって連結された基板ボックス２６３は、所定の痕跡を残さなければ開封できない構成となっている。これにより、基板ボックス２６３が不正に開封された旨を容易に発見することができる。尚、基板ボックス２６３の詳細については後述する。
【００５４】
また、本実施形態では、裏枠セット２１５が主制御装置２６１の取付台として機能し、主制御装置２６１を搭載した基板ボックス２６３が、裏枠セット２１５に対し回動可能に軸支され、後方に開放可能となっている。
【００５５】
また、遊技盤３０には、入球手段としての一般入賞口３１等の各種入賞口に対応して、当該各種入賞口へ入球した遊技球を検出する入球検出スイッチ（入球検出手段）が設けられている。具体的には、図４に示すように、一般入賞口３１に対応する位置には入賞口スイッチ２２１が設けられ、可変入賞装置３２にはカウントスイッチ２２３が設けられている。また、第１契機対応ユニット３３には、上入賞口３３ａ及び下入賞口３３ｂそれぞれに対応して第１契機対応ユニットスイッチ２２４ａ，２２４ｂが設けられている。さらに、第２契機対応口３４に対応する位置には第２契機対応口スイッチ２２５が設けられている。
【００５６】
また、図示は省略するが、裏枠セット２１５には、入賞口スイッチ２２１、カウントスイッチ２２３、第２契機対応口スイッチ２２５、主制御装置２６１との電気的な接続を中継する第１盤面中継基板（図示略）、遊技盤３０の下部に設けられる電飾部材のＬＥＤ基板とサブ制御基板２６２との電気的な接続を中継する電飾中継基板（図示略）、及び、第１契機対応ユニット３３の周縁部に配置され、前記電飾中継基板に接続されるＬＥＤ基板が設けられている。この第１盤面中継基板は、入賞口スイッチ２２１等と、主制御装置２６１とを中継するものであり、ケーブルコネクタを介して主制御装置２６１と電気的に接続されている。
【００５７】
これに対し、第１契機対応ユニット３３（上入賞口３３ａ又は下入賞口３３ｂ）への入球を検出する第１契機対応スイッチ２２４ａ，２２４ｂは中継基板を経ることなくコネクタケーブルを介して直接主制御装置２６１に接続されている。
【００５８】
各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（第２契機対応口スイッチ２２５により検出された場合を除く。）
この他、遊技盤３０の裏面には、図示は省略するが、可変入賞装置３２にて大入賞口を開放する大入賞口用ソレノイドが設けられ、第１契機対応ユニット３３にて一対の開閉部材３３ｃを開閉駆動する下入賞口用ソレノイドが設けられている。また、裏枠セット２１５には、これらソレノイドと主制御装置２６１とを中継する第２盤面中継基板（図示略）も設けられている。尚、裏枠セット２１５に搭載される検知スイッチ等は背面側から着脱可能となっており（第１盤面中継基板は取外し不可としてもよい）、裏枠セット２１５を遊技盤３０から取外さなくてもかかる検知スイッチ等のメンテナンスや交換等を行うことができる。
【００５９】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部中継端子板２４０が設けられている。
【００６０】
外部中継端子板２４０は、遊技ホールのホールコンピュータなどへの各種情報送信を中継するためのものであり、複数の外部接続端子が設けられている。便宜上、符号は付さないが、例えば現在の遊技状態（大当たり状態や高確率状態等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【００６１】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板ボックス２６３の上部及び右部（図５では左側の部位）も合わせて覆う構成となっている。これにより、裏パックユニット２０３の閉鎖状態において、主制御装置２６１の上部（コネクタカバー４１２）が覆われることとなる。
【００６２】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００６３】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６４】
裏パックユニット２０３（基板ボックス２６３）の下方には、内枠１２の左側部（図５では右側）にて軸支され、後方に開放可能な下枠セット２５１が設けられている。図６に示すように、下枠セット２５１には、上述した球回収機構により回収された遊技球が流入する排出通路部２１７が形成され、排出通路部２１７の最下流部には、遊技球をパチンコ機１０外部へ排出する排出シュート（図示略）が形成されている。つまり、一般入賞口３１等の各入賞口に入賞した遊技球は、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００６５】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【００６６】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【００６７】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、態様は異なるが、主制御装置２６１の基板ボックス２６３と同様に封印手段が設けられ、基板ボックス３１１ａの開封された痕跡が残るようになっている。
【００６８】
加えて、カードユニット接続基板３１４は、基板ボックス３１４ａに収容されて、基板ボックス３１３ａ（発射制御装置３１２及び電源装置３１３）の背面側に固定されている。
【００６９】
なお、上記各基板ボックス３１１ａ，３１３ａ，３１４ａは透明樹脂材料等により構成されており、内部が視認可能となっている。
【００７０】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００７１】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００７２】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００７３】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００７４】
また、図４に示すように、内枠１２の前面側右下部（発射装置６０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【００７５】
ここで、主制御装置２６１を収容する基板ボックス２６３の構成について図７〜図１０を参照して詳しく説明する。
【００７６】
図９，１０に示すように、主制御装置（主制御基板）２６１は、全体として左右に長い略長方形状をなし、その実装面には、図示しない各種電子部品や受側コネクタなどが設けられている。以下、主制御装置２６１及び基板ボックス２６３に関連する説明においては、便宜上、主制御装置２６１の実装面側を前側（正面側）として説明する。つまり、図７は、基板ボックス２６３の正面図に相当し、図８〜図１０は、それぞれ正面左側からの斜視図、正面側から見た分解斜視図、背面側から見た分解斜視図である。
【００７７】
基板ボックス２６３は、主制御装置２６１の前面側を覆うボックスカバー２６３ａと、主制御装置２６１の背面側を覆うボックスベース２６３ｂとを備え、全体として左右に長い略直方体形状をなしている。ボックスカバー２６３ａが本実施形態におけるカバー部材を構成し、ボックスベース２６３ｂがベース部材を構成する。
【００７８】
ボックスカバー２６３ａは、背面側に向け開口した略箱型形状をなすカバー本体部４０１を備えている。カバー本体部４０１は、主制御装置２６１の前面側と相対向する前壁部４０１ａと、当該前壁部４０１ａの周縁部から背面側へ延出した上下左右の各壁部４０１ｂ，４０１ｃ，４０１ｄ，４０１ｅとを備えている。
【００７９】
ボックスカバー２６３ａの背面側には、複数のボス４０２が設けられており、当該ボス４０２に対して主制御装置２６１がネジ４０３により固定される。
【００８０】
カバー本体部４０１の前壁部４０１ａと上壁部４０１ｂとの間には、コーナー部が切り欠かれるようにして、段差状の凹部４０５が形成されている。
【００８１】
凹部４０５の奥壁には、左右方向に沿って略長方形状の取付孔４０６が形成されている。当該取付孔４０６に対して、ボックスカバー２６３ａの背面側からコネクタパネル４０７がネジ４０８により固定されている。
【００８２】
コネクタパネル４０７には、主制御装置２６１の各種受側コネクタを挿通させる複数の挿通孔４０９が形成されている。また、コネクタパネル４０７の前面側には、係止片４１０が突出形成されている。
【００８３】
これに対応して、ボックスカバー２６３ａの前面側の凹部４０５には、前記係止片４１０に係止させるようにして、コネクタカバー４１２が嵌め込まれる構成となっている。但し、コネクタカバー４１２の組付けは、基板ボックス２６３を遊技盤３０の裏面に搭載し、払出制御装置３１１等と電気的に接続された各種ケーブルの差込側コネクタ（図示略）を主制御装置２６１の受側コネクタに対して接続した後に行われる。これにより、差込側コネクタが取外し不能となり、所謂ぶら下げ等、差込側コネクタに対する不正行為が防止される。
【００８４】
なお、図示は省略するが、カバー本体部４０１には、主制御装置２６１から発せられる熱を基板ボックス２６３の外部に逃がすための各種放熱孔も形成されている。
【００８５】
ボックスベース２６３ｂは、主制御装置２６１の背面側と相対向する略長方形状の背壁部４２１を備えている。背壁部４２１の上下辺部には、前方へ延出した上下の各壁部４２１ａ，４２１ｂが左右方向に沿って形成されている。上下の各壁部４２１ａ，４２１ｂの前端部には、それぞれ左右方向に沿って所定間隔で複数の折返し部４２２が形成されている。これにより、ボックスベース２６３ｂの上下辺部には、ガイドレール４２３が形成される。
【００８６】
一方、ガイドレール４２３に対応して、ボックスカバー２６３ａの上下辺部には案内用フランジ部４２４が形成されている。そして、図７の左側から右側に向けて、ボックスカバー２６３ａの案内用フランジ部４２４を、ボックスベース２６３ｂのガイドレール４２３に差込み、スライドさせることで、ボックスカバー２６３ａとボックスベース２６３ｂを組付けることができる。
【００８７】
ボックスカバー２６３ａの上下辺部には、案内用フランジ部４２４と並行して、ボックスベース２６３ｂの折返し部４２２を覆うカバー用フランジ部４２５が形成されている。これにより、折返し部４２２間に形成される隙間を覆い、線材等のボックス内部への進入を防いでいる。
【００８８】
図１１，１２に示すように、ボックスカバー２６３ａ（カバー本体部４０１）の右壁部４０１ｅには、上下２箇所において、カバー側連結部４３０が右方向に向け突出形成されている。図１１，１２は、ボックスカバー２６３ａとボックスベース２６３ｂの連結前の組付け状態を示す斜視図である。
【００８９】
カバー側連結部４３０は、手前側に位置する前連接部４３１と、後側に位置する一対の後連接部４３２とを介して、カバー本体部４０１の右壁部４０１ｅに一体形成されている。後連接部４３２は、断面略Ｌ字状をなし、カバー側連結部４３０の本体部の右端部近傍まで延出しており、後述するように案内手段として機能する。
【００９０】
カバー側連結部４３０の本体部は、カバー本体部４０１の右壁部４０１ｅに相対向し前連接部４３１及び後連接部４３２と連接した支持部４３０ａと、当該支持部４３０ａの奥側から右方向に突出形成された受け部４３０ｂとを備え、略Ｌ字状をなしている。
【００９１】
図１６等に示すように、受け部４３０ｂには、ボス４３３が立設されており、当該ボスに対しネジ４３４によりカバー側連結金具４３５が固定されている。カバー側連結金具４３５が本実施形態における第２係合部を構成する。
【００９２】
本実施形態におけるカバー側連結金具４３５は、約２ｍｍ程度の肉厚を有する比較的硬質の合金板材をプレス加工等することにより成形されている。よって、カバー側連結金具４３５は撓みにくく、比較的高い剛性を有している。
【００９３】
カバー側連結金具４３５は、ボス４３３に固定される底部４３５ａと、当該底部４３５ａの上下両端縁からそれぞれ前方へ延出した一対のガード部４３５ｂと、底部４３５ａの右端縁から前方へ延出した係合部４３５ｃとを備えている。
【００９４】
なお、ガード部４３５ｂの先端部が、前連接部４３１の位置にまで達しているのに対し、係合部４３５ｃの突出長は、その半分以下となっている。
【００９５】
カバー側連結部４３０の受け部４３０ｂには、カバー側連結金具４３５の位置ズレを防止するための一対の突起部４３７も形成されている。
【００９６】
さて、ボックスベース２６３ｂの右辺部には、ボックスカバー２６３ａの右側が差し込まれる被差込み部４４０が形成されている。当該被差込み部４４０へ差し込まれるボックスカバー２６３ａのカバー本体部４０１右端部位は、他の一般部位に比べ一回り小さく形成されており、当該右端部位と一般部位との間には、ボックスベース２６３ｂの被差込み部４４０の端縁部が当接する段差部４０１ｇが形成されている。これにより、ボックスベース２６３ｂの被差込み部４４０とボックスカバー２６３ａとの間に生じる隙間からボックス内部への線材等の進入を防止している。
【００９７】
被差込み部４４０は、ボックスベース２６３ｂの背壁部４２１の右辺部から前方へ延出した右壁部４４０ａと、右壁部４４０ａの前端部から左方へ延出した前壁部４４０ｂと、これらの上下端部に形成された上下壁部４４０ｃ，４４０ｄとを備え、左方へ開口した略箱型形状をなしている。
【００９８】
被差込み部４４０の右壁部４４０ａ外側には、上記カバー側連結部４３０に対応して、上下２箇所においてベース側連結部４５０が右方向に向け突出形成されている。
【００９９】
ベース側連結部４５０の本体部は、前後上下の各壁部４５０ａ〜４５０ｄ及び右壁部４５０ｅにより構成され、中空状の略直方体形状をなす。これに対応して、被差込み部４４０の右壁部４４０ａには、その内側からベース側連結部４５０内へ通じる連通孔４５１が形成されている。当該連通孔４５１を介して、上記カバー側連結部４３０がベース側連結部４５０内へ差込み可能となる。
【０１００】
ベース側連結部４５０の右壁部４５０ｅ内側には、前壁部４５０ａの近傍において、ボス４５２が立設されており、当該ボス４５２に対しネジ４５３によりベース側連結金具４５４が固定されている。ベース側連結金具４５４が本実施形態における第１係合部を構成する。
【０１０１】
本実施形態におけるベース側連結金具４５４は、約０．５ｍｍ程度の肉厚を有する比較的硬質の合金板材をプレス加工等することにより成形されている。よって、ベース側連結金具４５４は適度な可撓性及び剛性を有している。
【０１０２】
ベース側連結金具４５４は、ボス４５２に固定される側壁部４５４ａと、当該側壁部４５４ａの前端部から右方へ延出した固定片部４５４ｂと、後端部から右斜め後方へ延出した係合部４５４ｃとを備え、全体として略コ字状をなしている。係合部４５４ｃが本実施形態における係合片を構成する。また、本実施形態では、係合部４５４ｃが固定片部４５４ｂに近づく方向が非係合方向に相当し、係合部４５４ｃが固定片部４５４ｂから遠ざかる方向が係合方向に相当する。
【０１０３】
固定片部４５４ｂの端部には、右壁部４５０ｅに形成された被係合部４５０ｆに係合するＵ字状の溝部４５４ｄが形成されており、ベース側連結金具４５４の位置ズレを防止している。
【０１０４】
ベース側連結部４５０の本体部の上下壁部４５０ｃ，４５０ｄには、被差込み部４４０の右壁部４４０ａとの付根部において、切除用スリット４５５が形成されている。
【０１０５】
上下壁部４５０ｃ，４５０ｄと、後壁部４５０ｂとのコーナー部には、それぞれ上記カバー側連結部４３０の後連接部４３２が差し込まれる断面略Ｌ字状のガイド溝部４５７を有する案内部４５８を備えている（図１８等参照）。当該案内部４５８は、後連接部４３２とともに案内手段を構成する。
【０１０６】
ボックスカバー２６３ａ（カバー本体部４０１）の右壁部４０１ｅには、上下のカバー側連結部４３０の間において、カバー側板状部４６１が突出形成されている。これに対応して、ボックスベース２６３ｂ（被差込み部４４０）の右壁部４４０ａには、カバー側板状部４６１が挿通される矩形状の孔部４６２が形成されるとともに、当該孔部４６２と併設されるように、カバー側板状部４６１と対をなすベース側板状部４６３が突出形成されている。
【０１０７】
そして、ボックスカバー２６３ａとボックスベース２６３ｂとの連結時には、カバー側板状部４６１とベース側板状部４６３とが前後に重なるとともに、ネジ４６５により前後方向に連結固定される。さらに、前後に重ねられた両板状部４６１，４６３を跨ぐようにして、封印シール４７０が貼付けられる。これにより、ネジ４６５は覆われる。
【０１０８】
封印シール４７０の裏面側には、アンテナ付きＩＣチップ（図示略）が貼付けられている。アンテナ付きＩＣチップは、長尺状のアンテナ部の中央付近にＩＣチップが配置されている。ＩＣチップにはＩＤ情報等が格納されている。このＩＤ情報は、アンテナ部から発信され、リーダー／ライターとして構成されるスキャナー（読取体）で受信して読み取ることができる。
【０１０９】
アンテナ付きＩＣチップ（アンテナ部）は、封印シール４７０の対角方向に沿って斜めに配置されている。従って、封印シール４７０が両板状部４６１，４６３に跨って貼付けられているのに伴って、アンテナ部も両板状部４６１，４６３に跨っている。
【０１１０】
これにより、両板状部４６１，４６３を引き離して、基板ボックス２６３を開封した場合には、アンテナ部が分断されることとなる。アンテナ部が分断されると固有のＩＤ情報がアンテナ部から送信されなくなる。よって、基板ボックス２６３を開封し、主制御装置２６１に対して不正を行った後に、基板ボックス２６３を封印して他の封印シール４７０を再度貼ったとしても、ＩＤ情報が異なることにより当該不正行為を容易に発見することができる。
【０１１１】
封印シール４７０が貼られる右側とは、反対側にあたる基板ボックス２６３の左側には、後述する接続プレート４８０（図６参照）に組付けるための軸受け部４７２が形成されている。
【０１１２】
軸受け部４７２は、前後に２分割された半割構造をなし、ボックスカバー２６３ａ側に一体形成されたカバー側ハウジング４７２ａと、ボックスベース２６３ｂ側に一体形成されたベース側ハウジング４７２ｂとから構成されている。
【０１１３】
軸受け部４７２の内部には、両ハウジング４７２ａ，４７２ｂが組付けられることで、下方へ開口した軸孔４７３が形成されている。
【０１１４】
カバー側ハウジング４７２ａ内には、箱状に形成された金属製のガード部材４７４が取付けられ、さらにその内側に金属製の係止金具４７６が取付けられ、これらがネジ４７５により一体に固定されている。
【０１１５】
係止金具４７６は、カバー側ハウジング４７２ａに固定される固定部４７６ａと、当該固定部４７６ａの下端部から斜め上方に延出した折返し部４７６ｂとからなり、断面略Ｖ字状に形成されている。係止金具４７６は適度な可撓性及び剛性を有している。
【０１１６】
本実施形態では、図６に示すように、基板ボックス２６３は、接続プレート４８０を介して裏枠セット２１５に対し開閉自在に取付けられる。より詳しくは、遊技盤３０の背面に固定される裏枠セット２１５には、略箱状の台座部４８１が取付けられている。台座部４８１は、図１３，１４に示すように、前後に２分割された半割構造をなし、裏枠セット２１５に固定されるベースハウジング４８１ａと、ネジ４８２によりこれに組付けられるカバーハウジング４８１ｂとからなる。図１３は、基板ボックス２６３、接続プレート４８０、台座部４８１などを一体に組付けたユニットの斜視図であり、図１４は、その組付け関係を示す分解斜視図である。
【０１１７】
台座部４８１の内部には、両ハウジング４８１ａ，４８１ｂが組付けられることで、上方へ開口した軸孔４８３が形成されている。
【０１１８】
カバーハウジング４８１ｂには、図示は省略するが、上記係止金具４７６と同様の係止金具が取付けられている。
【０１１９】
一方、接続プレート４８０は、基板ボックス２６３が組付けられる平板状のプレート部４８０ａと、台座部４８１及び基板ボックス２６３とがそれぞれ連結される連結部４８０ｂと備えている。
【０１２０】
連結部４８０ｂは、基板ボックス２６３が組付けられるプレート部４８０ａの正面側から見て当該プレート部４８０ａの左辺部において、前後方向に延びるように設けられている。
【０１２１】
連結部４８０ｂの前端部には、上方に向け突出したボックス用軸部４８５が設けられ、後端部には、下方へ向け突出した台座用軸部４８６が設けられている。各軸部４８５，４８６の長手方向略中央部には、外周方向へ突出した鍔部４８５ａ，４８６ａが形成されている。鍔部４８５ａ，４８６ａは、それぞれの軸部４８５，４８６の突出方向に向けて先細るようにテーパ状に形成されている。
【０１２２】
そして、ボックス用軸部４８５を基板ボックス２６３の軸受け部４７２に挿入し、係止金具４７６の折返し部４７６ｂを弾性変形させつつ、押し込んでいくと、ボックス用軸部４８５の鍔部４８５ａが折返し部４７６ａを通過した時点で、折返し部４７６ａが元の状態に戻る。これにより、ボックス用軸部４８５が軸受け部４７２から離脱不能となるとともに、当該軸部４８５を中心として、基板ボックス２６３が接続プレート４８０に対し相対回動変位可能に組付けられることとなる。
【０１２３】
同様に、台座用軸部４８６を、裏枠セット２１５（遊技盤３０）に固定された台座部４８１に挿し込むことにより、台座用軸部４８６が台座部４８１から離脱不能となるとともに、接続プレート４８０及び基板ボックス２６３が裏枠セット２１５に対し相対回動変位可能に組付けられた状態となる。
【０１２４】
結果として、正規の基板ボックス２６３を接続プレート４８０から取外し、不正な主制御装置２６１を搭載した基板ボックス２６３に丸ごと取替えてしまうといった不正行為を抑止することができる。
【０１２５】
また、プレート部４８０ａには、係止爪４８７が形成されている。そして、当該係止爪４８７を基板ボックス２６３の被係止部４８８に対し係止させることにより、基板ボックス２６３がプレート部４８０ａに当接した状態で固定される。
【０１２６】
さらに、接続プレート４８０の裏面には、当該接続プレート４８０と裏枠セット２１５との間に形成される隙間を埋めるスペーサ４９０が取付けられている。
【０１２７】
また、ボックスカバー２６３ａには、軸受け部４７２（カバー側ハウジング４７２ａ）の上方位置において、未使用の係止ピン４９１を保持しておくためのピン保持部４９２が設けられている。尚、詳しくは後述するが、かかる係止ピン４９１は、基板ボックス２６３を一度開封した後、基板ボックス２６３を再度封印する際に使用されるものである。
【０１２８】
ピン保持部４９２には、係止ピン４９１が挿通状態で保持される貫通孔部４９３が形成されている。係止ピン４９１の頭部の外周形状と、貫通孔部４９３の内周形状とがほぼ同形状に形成されており、両者の間にはほとんど隙間がない状態となっている。通常時、係止ピン４９１は、その頭部がピン保持部４９２の表面と面一に保持されている。このため、係止ピン４９１の頭部をプライヤー等で挟んで係止ピン４９１を引き抜くといった行為が防止される。
【０１２９】
ピン保持部４９２に対応して、ボックスベース２６３ｂには、係止ピン４９１を係止可能な被係止部４９４が形成されている。
【０１３０】
次に、ボックスカバー２６３ａとボックスベース２６３ｂとの組付け手順について図１５〜図１７を参照して説明する。
【０１３１】
先ず、ボックスカバー２６３ａの案内用フランジ部４２４を、ボックスベース２６３ｂのガイドレール４２３に差込み、スライドさせ、図１５（ａ），図１６（ａ），図１７（ａ）に示した状態とする。なお、基板ボックス２６３の正面側から見て、ボックスベース２６３ｂに対してボックスカバー２６３ａを右方向へ動かす相対変位方向が封印方向となり、その逆の左方向が開封方向となる。
【０１３２】
続けて、ボックスカバー２６３ａのカバー本体部４０１をボックスベース２６３ｂの被差込み部４４０へ差し込んでいくとともに、連通孔４５１を介して、カバー側連結部４３０をベース側連結部４５０内へ差し込んでいく。この際、カバー側連結部４３０の後連接部４３２をベース側連結部４５０のガイド溝部４５７に差込み、位置合わせを行う。
【０１３３】
さらに、ボックスカバー２６３ａをスライドさせていくと、カバー側連結金具４３５の係合部４３５ｃがベース側連結金具４５４の係合部４５４ｃと接触し、当該係合部４５４ｃが弾性変形していく。そして、ボックスカバー２６３ａの段差部４０１ｇが、ボックスベース２６３ｂの被差込み部４４０の端縁部に当接する位置に達すると、カバー側連結金具４３５の係合部４３５ｃがベース側連結金具４５４の係合部４５４ｃを乗り越え、図１５（ｂ），図１６（ｂ），図１７（ｂ）に示すように、両係合部４３５ｃ，４５４ｃが係合状態となる。これにより、連結が完了するとともに、基板ボックス２６３が封印状態となる。
【０１３４】
封印状態となると、ベース側連結金具４５４は、カバー側連結金具４３５の一対のガード部４３５ｂの間に入り込んだ状態となる。
【０１３５】
また、カバー側連結部４３０の前連接部４３１とベース側連結部４５０の前壁部４５０ａとが重畳状態となるとともに、ベース側連結部４５０の上下壁部４５０ｃ，４５０ｄと後壁部４５０ｂのコーナー部の案内部４５８と、カバー側連結部４３０の後連接部４３２とが重畳状態となる（図１８参照）。
【０１３６】
さらに、ボックスカバー２６３ａ（カバー本体部４０１）の右壁部４０１ｅが、ボックスベース２６３ｂの被差込み部４４０の右壁部４４０ａと当接した状態となり、主制御装置（主制御基板）２６１が配置される基板ボックス２６３の本体部（基板収容空間）と、連結金具４３５，４５４が配置される連結部（係合部収容空間）とが仕切られる。従って、当該右壁部４０１ｅが本実施形態における隔壁部を構成する。つまり、本実施形態におけるボックス本体部は、第２構成部材にあたるボックスカバー２６３ａのカバー本体部４０１と、これと共に主制御装置２６１を囲む第１構成部材にあたるボックスベース２６３ｂの背壁部４２１とから構成されている。また、第１連結部にあたるベース側連結部４５０と、第２連結部にあたるカバー側連結部４３０とから本実施形態における封印手段が構成される。
【０１３７】
次に、基板ボックス２６３の開封手順について説明する。
【０１３８】
まず、ベース側連結部４５０の切除用スリット４５５にニッパーやカッター等の工具の先端部を挿入し、カバー側連結部４３０及びベース側連結部４５０の付根部を切断していく。この際、重畳状態にあるカバー側連結部４３０の前連接部４３１とベース側連結部４５０の前壁部４５０ａとをまとめて切断する。同様に、重畳状態にあるベース側連結部４５０の上下壁部４５０ｃ，４５０ｄと後壁部４５０ｂのコーナー部の案内部４５８と、カバー側連結部４３０の後連接部４３２とをまとめて切断する。
【０１３９】
これにより、カバー側連結部４３０は、ボックスカバー２６３ａのカバー本体部４０１から切離され、ベース側連結部４５０は、ボックスベース２６３ｂの被差込み部４４０から切離される。
【０１４０】
つまり、ベース側連結部４５０の前後壁部４５０ａ，４５０ｂや上下壁部４５０ｃ，４５０ｄ、案内部４５８により第１切離部が構成され、カバー側連結部４３０の前連接部４３１及び後連接部４３２により第２切離部が構成される。
【０１４１】
次に、基板ボックス２６３を再度封印する作業について説明する。
【０１４２】
先ず、ボックスカバー２６３ａとボックスベース２６３ｂとを組付けた状態で、ボックスカバー２６３ａ側の係止ピン４９１を貫通孔部４９３の奥方に押し込む。そうすると、当該係止ピン４９１がピン保持部４９２の背面側から突出し、ボックスベース２６３ｂ側の被係止部４９４に係止される。これにより、係止ピン４９１の頭部は貫通孔部４９３の奥に没入した状態となるため、ボックスカバー２６３ａとボックスベース２６３ｂとが取外し不可能に連結され、基板ボックス２６３が再度封印状態とされる。
【０１４３】
次に、パチンコ機１０の電気的構成について説明する。図１９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１４４】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１４５】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１４６】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１４７】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１４８】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【０１４９】
その他、便宜上、各種中継基板等の図示は省略するが、入出力ポート５０５には、入賞口スイッチ２２１、カウントスイッチ２２３、第１契機対応ユニットスイッチ２２４ａ，２２４ｂ、第２契機対応口スイッチ２２５などの各種検出スイッチや、各種基板などの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１５０】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１５１】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、演出ボタン１２５、各種電飾部及びランプ１０２〜１０４が接続されている。
【０１５２】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【０１５３】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１５４】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１５５】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１５６】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１５７】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１５８】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１５９】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１６０】
コマンドバッファは、主制御装置２６１から送信されるコマンドを一時的に記憶するリングバッファで構成されている。
【０１６１】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１６２】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１６３】
発射制御装置３１２は、発射装置６０による遊技球の発射を許可又は禁止するものであり、発射装置６０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置６０が駆動され、ハンドル１８の操作量に応じた強度で遊技球が発射される。
【０１６４】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１６５】
表示制御装置４５のＣＰＵ５２１は、サブ制御装置２６２から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１６６】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１６７】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１６８】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１６９】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１７０】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１７１】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１７２】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１７３】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１７４】
以上詳述したように、本実施形態では、ボックスカバー２６３ａとボックスベース２６３ｂとが封印状態となった際には、カバー側連結金具４３５及びベース側連結金具４５４が基板ボックス２６３内に配置された状態となり、その封印状態をボックス外部から解除操作することができなくなる。さらに、封印状態では、ボックスカバー２６３ａ（カバー本体部４０１）の右壁部４０１ｅが、ボックスベース２６３ｂの被差込み部４４０の右壁部４４０ａと当接した状態となり、主制御装置（主制御基板）２６１が配置される基板ボックス２６３の本体部（基板収容空間）と、連結金具４３５，４５４が配置される連結部（係合部収容空間）とが仕切られる。このため、仮に基板ボックス２６３に設けられた放熱孔等の隙間を介して線材等を内部に侵入させたとしても、両連結金具４３５，４５４の解除操作をすることは事実上できなくなる。
【０１７５】
このように、一旦、基板ボックス２６３が封印状態となると、それを開封するためには、連結部４３０，４５０を切除しなければならず、開封の痕跡が残ることとなる。結果として、不正開封された場合には、早期に且つ容易に発見することができる。ひいては、開封の痕跡が残らないように基板ボックス２６３が開封されてしまうといった事態をより確実に防止することができる。
【０１７６】
また、ベース側連結金具４５４は、封印状態において、カバー側連結金具４３５の一対のガード部４３５ｂの間に入り込んだ状態となる。このため、仮にベース側連結部４５０内に線材等を侵入させたとしても、両連結金具４３５，４５４の解除操作をすることが困難となる。
【０１７７】
また、本実施形態では、カバー側連結金具４３５及びベース側連結金具４５４が、カバー側連結部４３０及びベース側連結部４５０とそれぞれ別体で設けられている。このため、仮に外部からベース側連結部４５０等に力をかけて歪ませ、両連結金具４３５，４５４の係合を解除しようとした場合でも、ベース側連結部４５０等の歪みが連結金具４３５，４５４に伝達しにくくなる。結果として、上記不正行為の抑止効果をさらに高めることができる。
【０１７８】
さらに、本実施形態では、基板ボックス２６３を開封しようとして、ボックスカバー２６３ａとボックスベース２６３ｂとを開封方向へ動かせば動かすほど、カバー側連結金具４３５の係合部４３５ｃとベース側連結金具４５４の係合部４５４ｃとの係り度合いが増し、開封し難くなる。結果として、上記不正行為の抑止効果をさらに高めることができる。
【０１７９】
加えて、ボックスカバー２６３ａとボックスベース２６３ｂとを組付けた後に、別途、カシメ部材等を用いて封印する構成に比べて、封印作業が行いやすく、利便性が向上する。
【０１８０】
また、本実施形態では、両連結金具４３５，４５４が基板ボックス２６３内に配置されるため、従来のように封印構造を基板ボックスの外部に備えるもの、すなわちボックス組付け後にカシメ部材を挿し込んで封印状態とする構成に比べ、ボックス組付け時に両連結金具４３５，４５４が適切に係合したか否か、すなわち基板ボックス２６３が封印された否かを確認し難くなるおそれがある。しかし、この点、本実施形態では、カバー側連結部４３０及びベース側連結部４５０が基板ボックス２６３の本体部と一体に透明樹脂材料等より形成されているため、両連結金具４３５，４５４の視認性を確保することができ、このような不具合を抑制することができる。ひいては不正行為の早期発見や不正行為の抑止効果を高めることができる。
【０１８１】
また、仮にボックスベース２６３ｂ側のベース側連結部４５０のみを破壊して基板ボックス２６３を開封した場合には、無傷のボックスカバー２６３ａを得ることができる場合もある。しかし、ボックスベース２６３ｂ側のベース側連結部４５０を破壊する等しない限り、その内側にあるボックスカバー２６３ａ側のカバー側連結部４３０を破壊等することはできないため、ボックスカバー２６３ａ側のカバー側連結部４３０のみを破壊して基板ボックス２６３を開封することはできない。つまり、無傷のボックスベース２６３ｂを得ることはできない。つまり、仮に本実施形態の構成を有する基板ボックス２６３を２つ用意した場合でも、ボックスベース２６３ｂ及びボックスカバー２６３ａの両方を、開封の痕跡を残すことなく、無傷で得ることはできない。換言すれば、基板ボックス２６３の開封の痕跡をより確実に残すことができ、ひいては基板ボックス２６３ごと交換するといった不正行為などを抑制することができる。
【０１８２】
また、封印状態となると、カバー側連結部４３０の前連接部４３１とベース側連結部４５０の前壁部４５０ａとが重畳状態となるとともに、ベース側連結部４５０の上下壁部４５０ｃ，４５０ｄと後壁部４５０ｂのコーナー部の案内部４５８と、カバー側連結部４３０の後連接部４３２とが重畳状態となる。これにより、工具を用いて、カバー側連結部４３０の前連接部４３１とベース側連結部４５０の前壁部４５０ａとをまとめて切断できるとともに、ベース側連結部４５０の案内部４５８と、カバー側連結部４３０の後連接部４３２とをまとめて切断できる。このため、基板ボックス２６３の開封作業を効率よく行うことができる。さらに、これらが重畳して配設されているため、上述したように仮にボックスベース２６３ｂ側のベース側連結部４５０のみを破壊して、無傷のボックスカバー２６３ａを得ようとした場合でも、その内側に配設されるカバー側連結部４３０を傷つけることなく、ベース側連結部４５０のみを破壊することが困難となるため、無傷のボックスカバー２６３ａを得ることも困難となり、上記不正抑止効果がさらに高められる。
【０１８３】
なお、上述した実施形態の記載内容に限定されず、例えば次のように実施してもよい。
【０１８４】
（ａ）カバー側連結部４３０及びベース側連結部４５０の構成は上記実施形態に限定されるものではない。例えば、連結金具４３５，４５４に代えて、樹脂製の連結部材を採用してもよいし、第２係合部や第１係合部に相当する部位がカバー側連結部４３０やベース側連結部４５０に一体形成された構成としてもよい。
【０１８５】
また、カバー側連結部４３０及びベース側連結部４５０の形成位置も上記実施形態に限定されるものではなく、ボックスカバー２６３ａ及びボックスベース２６３ｂの組付け構成等に合わせて適宜変更可能である。
【０１８６】
（ｂ）上記実施形態では、ボックスカバー２６３ａ及びボックスベース２６３ｂを左右方向にスライドさせることで、両者が組付けられる構成となっている。これに限らず、例えば、ボックスカバー２６３ａ及びボックスベース２６３ｂを上下方向に相対変位させることで組付けたり、ボックスカバー２６３ａ及びボックスベース２６３ｂを前後に重ねて押付けることで組付けたり、ボックスベース２６３ｂに対してボックスカバー２６３ａの一側部側を軸支させてから回動させることで組付ける構成としてもよい。
【０１８７】
（ｃ）上記実施形態では、上下２組のカバー側連結部４３０及びベース側連結部４５０が同時に連結される構成となっているが、これに限らず、例えばカバー側連結金具４３５及びベース側連結金具４５４を、１組のカバー側連結部４３０及びベース側連結部４５０に対してのみ取付けておき、他方から取外しておくことにより、基板ボックス２６３を二回封印することができる構成としてもよい。
【０１８８】
勿論、カバー側連結部４３０及びベース側連結部４５０の数は２組に限定されず、１組でもよいし、３組以上設けてもよい。
【０１８９】
（ｄ）上記実施形態では、ベース側連結部４５０に切除用スリット４５５が形成されているが、切除用スリット４５５を省略し、隙間が形成されない構成としてもよい。
【０１９０】
（ｅ）上記実施形態では、ボックスカバー２６３ａ側がボックスベース２６３ｂ側に差し込まれて構成となっているが、これに限らず、ボックスベース２６３ｂ側がボックスカバー２６３ａ側に差し込まれる構成としてもよい。かかる場合、カバー側連結部４３０及びベース側連結部４５０の構成が逆となる。
【０１９１】
（ｆ）カバー側連結金具４３５及びベース側連結金具４５４の構成は上記実施形態に限定されるものではない。
【０１９２】
例えば、上記実施形態では、カバー側連結金具４３５の１つの係合部４３５ｃとベース側連結金具４５４の１つの係合部４５４ｃとが係合する構成となっているが、これに代えて、連結金具４３５，４５４がそれぞれ複数の係合部を備え、複数箇所で係合する構成としてもよい。
【０１９３】
また、カバー側連結金具４３５からガード部４３５ｂを省略した構成としてもよい。かかる場合、ベース側連結部４５０内に別途、連結金具４３５，４５４を囲むガード部材を配置した構成としてもよい。
【０１９４】
（ｇ）カバー側連結金具４３５及びベース側連結金具４５４の連結後、ベース側連結部４５０内に光硬化性樹脂を注入して、かかる光硬化性樹脂を硬化させる構成としてもよい。硬化性樹脂層が形成されることにより、カバー側連結金具４３５及びベース側連結金具４５４の係合を解除不能となり、さらなる封印状態の安定化を図ることができる。
【０１９５】
（ｈ）主制御装置２６１を収容する基板ボックス２６３のみならず、その他の制御装置を収容する基板ボックスに関しても、基板ボックス２６３と同様の構成を具備することとしてもよい。
【０１９６】
（ｉ）上記実施形態とは異なるタイプのパチンコ機として実施してもよい。また、パチンコ機以外にも、アレンジボール機、それに類する雀球等の各種遊技機などとして実施してもよい。さらに、パチンコ機以外の遊技機として、回胴式遊技機としてのスロットマシンや、パチンコ機とスロットマシンとが融合した遊技機としても、もちろん実施可能である。
【０１９７】
以下、特許請求の範囲の請求項に記載されないものであって、上記実施形態から把握できる技術的思想について、その効果とともに記載する。
【０１９８】
手段１．制御基板と、当該制御基板を収容する基板ボックスとを備えるとともに、
前記基板ボックスが、当該基板ボックスのうち前記制御基板を収容するボックス本体部の外側に当該ボックス本体部を封印する封印手段を備え、当該ボックス本体部から前記封印手段を切離すことにより開封可能となる遊技機であって、
前記ボックス本体部は、
第１構成部材と第２構成部材とからなり、
前記封印手段は、
前記第１構成部材の外側に突出形成されかつ内側に連通した中空の第１連結部と、前記第２構成部材から突出形成された第２連結部とからなり、
前記第１構成部材と前記第２構成部材とを組付けるにあたり、前記第２連結部が前記第１構成部材の内側から前記第１連結部の内部に挿し込まれ、当該第１連結部の内部に設けられた第１係合部と、前記第２連結部に設けられた第２係合部とが係合する構成となっていることを特徴とする遊技機。
【０１９９】
上記手段１によれば、基板ボックスの封印状態、すなわち第１連結部と第２連結部とが封印状態となった場合には、当該第１連結部の内部に、互いに係合した第１係合部及び第２係合部が配置された状態となるため、外部から連結解除操作をすることができなくなる。
【０２００】
このように、一旦、基板ボックスが封印状態となると、それを開封するためには、封印手段をボックス本体部から切離す等しなければならず、開封の痕跡が残ることとなる。結果として、不正開封された場合には、早期に且つ容易に発見することができる。ひいては、開封の痕跡が残らないように基板ボックスが開封されてしまうといった事態をより確実に防止することができる。
【０２０１】
仮にボックスカバーに第１連結部を備え、ボックスベースに第２連結部を備えた本手段１の構成を有する基板ボックスにおいて、ボックスカバー側の第１連結部のみを破壊して基板ボックスを開封した場合には、無傷のボックスベースを得ることができる場合もある。しかし、ボックスカバー側の第１連結部を破壊する等しない限り、その内側にあるボックスベース側の第２連結部を破壊等することはできないため、ボックスベース側の第２連結部のみを破壊して基板ボックスを開封することはできない。つまり、無傷のボックスカバーを得ることはできない。勿論、ボックスカバーに第２連結部を備え、ボックスベースに第１連結部を備えた構成においても同様のことが言える。つまり、仮に本手段１の構成を有する基板ボックスを２つ用意した場合でも、ボックスカバー及びボックスベースの両方を、開封の痕跡を残すことなく、無傷で得ることはできない。換言すれば、基板ボックスの開封の痕跡をより確実に残すことができ、ひいては基板ボックスごと交換するといった不正行為などを抑制することができる。
【０２０２】
また、第１構成部材と第２構成部材とを組付けた後に、別途、カシメ部材等を用いて封印する構成に比べて、封印作業が行いやすく、利便性が向上する。
【０２０３】
手段２．前記第１連結部は、第１切離部を介して第１構成部材に一体形成され、
前記第２連結部は、第２切離部を介して第２構成部材に一体形成され、
前記第１切離部と前記第２切離部とが重畳して配設されることを特徴とする手段１に記載の遊技機。
【０２０４】
上記手段２によれば、工具を用いて第１切離部及び第２切離部をまとめて切断等することができるため、ボックス本体部から封印手段を切離す基板ボックスの開封作業を効率よく行うことができる。
【０２０５】
また、第１切離部と第２切離部とが重畳して配設されているため、上述したように仮に第１構成部材側の第１連結部（第１切離部）のみを破壊して、無傷の第２構成部材を得ようとした場合でも、その内側に配設される第２連結部（第２切離部）を傷つけることなく、第１連結部（第１切離部）のみを破壊することが困難となるため、無傷の第２構成部材を得ることも困難となり、上記手段１の作用効果がより確実に奏される。
【０２０６】
なお、「前記第１切離部と前記第２切離部とが重畳して配設されること」には、第１切離部と第２切離部とが当接している状態は勿論のこと、両者が略当接（近接）している場合も含まれる。少なくとも両者間の隙間にニッパ等の工具の刃先が入り込まないようになっていることが好ましい。
【０２０７】
手段３．前記第１切離部及び前記第２切離部は、断面略Ｌ字状又は凹字状に重畳する範囲を有することを特徴とする手段２に記載の遊技機。
【０２０８】
上記手段３によれば、上記手段２の不正抑止効果がより確実に奏されることとなる。
【０２０９】
手段４．前記第１構成部材と前記第２構成部材とを組付けるにあたり、前記第１構成部材は、前記第２構成部の所定部位が差し込まれる被差込み部を備えるとともに、
前記第１連結部は、前記被差込み部に設けられ、
前記第２連結部は、前記被差込み部に差し込まれる前記第２構成部の所定部位に設けられていることを特徴とする手段１乃至３のいずれかに記載の遊技機。
【０２１０】
上記手段４によれば、第２連結部と第２構成部材との連接部分（第２切離部）の周囲をより確実に覆うことが可能となり、上記不正抑止効果がより確実に奏されることとなる。
【０２１１】
手段５．前記第１係合部及び前記第２係合部は、前記第１連結部及び前記第２連結部とそれぞれ別個に設けられた金属製部材により構成されていることを特徴とする手段１乃至４のいずれかに記載の遊技機。
【０２１２】
仮に外部から第１連結部等に力をかけて歪ませ、両係合部の係合を解除しようとした場合でも、上記手段５の構成によれば、第１連結部等の歪みが係合部に伝達しにくくなる。結果として、上記不正抑止効果がより確実に奏されることとなる。
【０２１３】
手段６．前記第１係合部及び前記第２係合部のうちの少なくとも一方にガード部を一体形成したことを特徴とする手段５に記載の遊技機。
【０２１４】
上記手段６によれば、ガード部を備えることにより、仮に第１連結部内に線材等を侵入させたとしても、両係合部の解除操作をすることが困難となる。また、ガード部を第１係合部等に一体形成することにより、部品点数の削減を図ることができる。
【０２１５】
手段７．前記第１係合部及び前記第２係合部のうち一方に、前記第１構成部材と前記第２構成部材とを所定の封印方向へ相対変位させることで、所定の非係合方向へ弾性変形して他方と係合可能となる係合片を備え、
前記係合片は、
前記封印方向とは反対となる開封方向へ前記第１構成部材と前記第２構成部材とを相対変位させた際、前記第１係合部及び前記第２係合部のうち一方からの応力により、前記非係合方向とは反対となる係合方向へ弾性変形することを特徴とする手段６に記載の遊技機。
【０２１６】
上記手段７によれば、基板ボックスを開封しようとして、第１構成部材と第２構成部材とを開封方向へ動かせば動かすほど、第１係合部及び第２係合部の係り度合いが増え、開封し難くなる。結果として、上記不正行為の抑止効果をさらに高めることができる。
【０２１７】
以下に、上記各手段が適用される各種遊技機の基本構成を示す。
【０２１８】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された入球手段（一般入賞口、可変入賞装置、作動口等）とを備えた弾球遊技機」が挙げられる。
【０２１９】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された入球手段（一般入賞口、可変入賞装置、作動口等）とを備え、前記遊技領域を流下する遊技球の挙動を視認可能に構成されてなる弾球遊技機」が挙げられる。
【０２２０】
Ｃ．上記各手段における前記遊技機、又は、上記各弾球遊技機は、パチンコ機又はパチンコ機に準ずる遊技機であること。
【０２２１】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０２２２】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０２２３】
１０…パチンコ機、２６１…主制御装置、２６３…基板ボックス、２６３ａ…ボックスカバー、２６３ｂ…ボックスベース、４０１…カバー本体部、４０１ｅ…右壁部、４３０…カバー側連結部、４３１…前連接部、４３２…後連接部、４３５…カバー側連結金具、４３５ａ…底部、４３５ｂ…ガード部、４３５ｃ…係合部、４４０…被差込み部、４５０…ベース側連結部、４５１…連通孔、４５４…ベース側連結金具、４５４ｃ…係合部、４５５…切除用スリット、４５７…ガイド溝部、４５８…案内部。
【図１】
2010194136.tif 000003
【図２】
2010194136.tif 000004
【図３】
2010194136.tif 000005
【図４】
2010194136.tif 000006
【図５】
2010194136.tif 000007
【図６】
2010194136.tif 000008
【図７】
2010194136.tif 000009
【図８】
2010194136.tif 000010
【図９】
2010194136.tif 000011
【図１０】
2010194136.tif 000012
【図１１】
2010194136.tif 000013
【図１２】
2010194136.tif 000014
【図１３】
2010194136.tif 000015
【図１４】
2010194136.tif 000016
【図１５】
2010194136.tif 000017
【図１６】
2010194136.tif 000018
【図１７】
2010194136.tif 000019
【図１８】
2010194136.tif 000020
【図１９】
2010194136.tif 000021